(57)【要約】【課題】扉開放のための予備的行為を検出する安全性の高い扉施錠状態検出装置を提供することを目的とする。【解決手段】筐体に対して開閉自在に取り付けられ、閉じることにより筐体を閉鎖する扉を、筐体に施錠する第１の施錠部であって、所定の位置に第１の光通過部が形成された第１の施錠部と；第１の施錠部を施錠する第２の施錠部であって、所定の位置に第２の光通過部が形成された第２の施錠部とを備え；筐体又は扉のいずれか一方に配設された、光を投光する投光部と；筐体又は扉のうち投光部の配設されなかった方に配設され、投光部によって投光された光を第１の光通過部と第２の光通過部とを通して受光する受光部とを備え；受光部が投光部からの光を受光するか否かで、施錠の状態を検出する。【選択図】  図５
2005021296.tif 000002
【特許請求の範囲】
【請求項１】
筐体に対して開閉自在に取り付けられ、閉じることにより前記筐体を閉鎖する扉を、前記筐体に施錠する第１の施錠部であって、所定の位置に第１の光通過部が形成された第１の施錠部と；
前記第１の施錠部を施錠する第２の施錠部であって、所定の位置に第２の光通過部が形成された第２の施錠部とを備え；
前記筐体又は前記扉のいずれか一方に配設された、光を投光する投光部と；
前記筐体又は前記扉のうち前記投光部の配設されなかった方に配設され、前記投光部によって投光された光を前記第１の光通過部と前記第２の光通過部とを通して受光する受光部とを備え；
前記受光部が前記投光部からの光を受光するか否かで、前記施錠の状態を検出する；
扉施錠状態検出装置。
【請求項２】
前記第１の施錠部の前記所定の位置に形成された前記第１の光通過部と、前記第２の施錠部の前記所定の位置に形成された前記第２の光通過部とが、前記第１の施錠部及び前記第２の施錠部が施錠状態にある時に一致するように形成された；
請求項１に記載の扉施錠状態検出装置。
【請求項３】
前記第１の施錠部は、前記筐体と前記扉とを係止し、前記第２の施錠部の施錠は、前記第１の施錠部と前記第２の施錠部とが当接することで前記第１の施錠部の移動を制限する；
請求項１又は請求項２に記載の扉施錠状態検出装置。
【請求項４】
請求項１乃至請求項３のいずれか１項に記載の扉施錠状態検出装置と；
有価の遊技媒体を収容する遊技媒体収容部と；
前記遊技媒体収容部を収納する前記筐体と；
前記筐体を閉鎖する前記扉とを備えた；
遊技機。
【発明の詳細な説明】
【０００１】
【発明の属する技術分野】
本発明は扉施錠状態検出装置及び遊技機に関し、特に施錠または解錠のための予備的行為を検出する安全性の高い扉施錠状態検出装置及び遊技機に関するものである。
【０００２】
【従来の技術】
従来から、例えば、ポーカーマシン、スロットマシン等の遊技機には、開閉自在に構成された本体内部に遊技機を構成する各機構を収容し、該本体が閉鎖状態にある時に不正行為、例えば、本体内部に収容されているコイン、紙幣等の有価の遊技媒体を無断で取り出す行為を防止するために施錠をするものがあった。さらに、遊技機本体を構成するキャビネットに送信器を、ドアに受信器をそれぞれが対応する位置に設け、送信器が送る信号と受信器が受け取る信号とをモニターすることで、両信号が一致するときにはドアが閉じている状態、一致しないときにはドアは開いている状態であるというように、遊技機本体が開放状態であるかまたは閉鎖状態であるかを確認することができる扉施錠状態検出装置があった（例えば、特許文献１参照。）。
【０００３】
【特許文献１】
特開昭５９−８５号公報  （第３−４頁、第２−４図）
【０００４】
【発明が解決しようとする課題】
しかしながら、上記のような従来の扉施錠状態検出装置及び遊技機では、例えば、ドアが開放し遊技機本体が開放状態とならなければ解錠状態であったことを検出することができなかったため安全上好ましくなかった。
【０００５】
そこで本発明は、扉開閉のための予備的行為を検出する安全性の高い扉施錠状態検出装置及び遊技機の提供を目的とする。
【０００６】
【課題を解決するための手段】
上記目的を達成するために、請求項１に係る発明による扉施錠状態検出装置は、例えば図５に示すように、筐体１４に対して開閉自在に取り付けられ、閉じることにより筐体１４を閉鎖する扉１６を、筐体１４に施錠する第１の施錠部であって、所定の位置に第１の光通過部２ａが形成された第１の施錠部２と；第１の施錠部２を施錠する第２の施錠部であって、所定の位置に第２の光通過部３ａが形成された第２の施錠部３とを備え；筐体１４又は扉１６のいずれか一方に配設された、光を投光する投光部６と；筐体１４又は扉１６のうち投光部６の配設されなかった方に配設され、投光部６によって投光された光を第１の光通過部２ａと第２の光通過部３ａとを通して受光する受光部７とを備え；受光部７が投光部６からの光を受光するか否かで、施錠の状態を検出するように構成されている。
【０００７】
このように構成すると、受光部７が投光部６からの光を受光することで施錠の状態を検出するので、扉開閉のための予備的行為を検出する安全性の高い扉施錠状態検出装置を提供することができる。
【０００８】
また請求項２に記載のように、請求項１に記載の扉施錠状態検出装置では、第１の施錠部２の所定の位置に形成された第１の光通過部２ａと、第２の施錠部３の所定の位置に形成された第２の光通過部３ａとが、第１の施錠部２及び第２の施錠部３が施錠状態にある時に一致するように形成してもよい。
【０００９】
また請求項３に記載のように、請求項１又は請求項２に記載の扉施錠状態検出装置では、第１の施錠部２は、筐体１４と扉１６とを係止し、第２の施錠部３の施錠は、第１の施錠部２と第２の施錠部３とが当接することで第１の施錠部２の移動を制限するように構成してもよい。
【００１０】
このように構成すると、受光部７が投光部６からの光を受光することで施錠の状態を検出するので、第１の施錠部２の施錠または解錠のための予備的行為、ひいては扉開閉のための予備的行為を検出する安全性の高い扉施錠状態検出装置を提供することができる。
【００１１】
上記目的を達成するために、請求項４に係る発明による遊技機は、例えば図２に示すように、請求項１乃至請求項３のいずれか１項に記載の扉施錠状態検出装置１と；有価の遊技媒体を収容する遊技媒体収容部５４、５８と；遊技媒体収容部５４、５８を収納する筐体１４と；筐体１４を閉鎖する扉１６とを備えるように構成されている。
【００１２】
このように構成すると、請求項１乃至請求項３のいずれか１項に記載の扉施錠状態検出装置１を備え、受光部７が投光部６からの光を受光することで施錠の状態を検出するので、扉開閉のための予備的行為を検出する安全性の高い遊技機を提供することができる。
【００１３】
典型的には、受光部７が投光部６からの光を受光するか否かで、第１の光通過部２ａと第２の光通過部３ａとの相対的位置関係を検知して、施錠の状態を検出するように構成される。
【００１４】
【発明の実施の形態】
以下、本発明の実施の形態について、図面を参照して説明する。なお、各図においてお互いに同一あるいは相当する部材には同一符号を付し、重複した説明は省略する。
【００１５】
図１の本発明の実施の形態に係る遊技機としてのスロットマシン１０の斜視図を参照し、スロットマシン１０の構成について詳細に説明をする。スロットマシン１０は、有価の遊技媒体、例えば、コイン、紙幣、メダル、遊技球又はトークンなどの他、遊技者に付与された、もしくは付与される遊技価値の情報を記憶したカード等を用いる。ここでは、特に価値の高い遊技媒体であるコイン及び紙幣を用いる遊技機として説明する。
【００１６】
スロットマシン１０の全体を形成している本体１２は、筐体１４と、筐体１４に対して不図示のヒンジ等により開閉自在に取り付けられる扉１６とを含んで構成されている。筐体１４は、略直方体で１の面に開口が形成されており、扉１６の開閉により該開口を開放または閉鎖状態することが可能なように構成されている。また、扉１６も筐体１４と同様に略直方体で１の面に開口が形成されており、閉鎖状態で、筐体１４と扉１６の開口が互いに対面するように取り付けられることで、本体１２内部にスロットマシン１０に組み付けられる各種の部品を収納するように構成されている。なお、ここでは扉１６は、筐体１４に不図示のヒンジによって取り付けられるものとしたが、本発明はこれに限らず、開閉可能に取り付けられる形態でれば他の形態であってもよい。
【００１７】
扉１６の正面には、遊技中の演出画像や各種情報画像等を表示する表示装置としての液晶表示装置２２が備えられており、液晶表示装置２２には、該画像を表示する表示領域２２ａが略垂直に形成されている。なお、表示装置２２は液晶表示装置に限らず、ＥＬ等のドットマトリクス表示器であってもよい。また、表示領域２２ａを設けた樹脂製のパネルにおいて、当該表示領域２２ａ以外の領域に演出画像や各種遊技情報の表示装置として、ＣＲＴ、プラズマディスプレイ、７セグメント、ＬＥＤ等を設けたものでもよい。
【００１８】
表示領域２２ａには、水平方向に平行な有効ラインとして、図中上方から順にトップライン、センターライン及びボトムラインが設けられており、さらに、斜め方向に図中左上方から右下方に向かうクロスダウンライン及び左下方から右上方に向かうクロスアップラインが設けられている。表示領域２２ａは、透過性の高い画像が表示可能に構成されており、該透過性の高い画像が表示された場合には、本体１２の内部に配設されている３つのリール２４Ｌ、２４Ｃ、２４Ｒが視認可能となるように構成されている。
【００１９】
各リール２４Ｌ、２４Ｃ、２４Ｒは、各々略円筒状に形成されており、外周面に複数種類の図柄によって構成される図柄列が描かれており、回転自在に横一列に設けられている。各リール２４Ｌ、２４Ｃ、２４Ｒの内部には、不図示のステッピングモータが備えられており、該ステッピングモータの駆動に応じて、各リール２４Ｌ，２４Ｃ，２４Ｒが回転、停止されるように構成されており、各リール２４Ｌ、２４Ｃ、２４Ｒが駆動されることにより、図柄が変動するように視認可能となる。また、リール２４Ｌ、２４Ｃ、２４Ｒが停止されることにより、図柄が停止するように視認可能となる。各リール２４Ｌ、２４Ｃ、２４Ｒの図柄は上述の通り、表示領域２２ａを通して遊技者が観察できるように構成されている。
【００２０】
扉１６の表示領域２２ａ下方には水平面の台座部３５が形成されている。台座部３５の上面右側には、コイン投入口２６が設けられており、コイン投入口２６にコインが投入されることにより遊技の実行が可能となるように構成されている。コイン投入口２６の右側方には、紙幣を挿入可能な紙幣挿入口２８が備えられている。この紙幣挿入口２８から紙幣が挿入されることによっても、遊技の実行が可能となるように構成されている。
【００２１】
さらに、台座部３５の上面左側には遊技者による操作が可能な操作部３０が備えられており、操作部３０には１回の押下操作により、例えば、既に投入されているコインのうちの１枚だけを遊技の賭けの対象とするための１−ＢＥＴスイッチ３１、既に投入されているコインのうちの２枚だけを遊技の賭けの対象とするための２−ＢＥＴスイッチ３２と、既に投入されているコインのうち１回の遊技に可能な最大枚数のコインを遊技の賭けの対象とするための最大ＢＥＴスイッチ３３が設けられている。これらのＢＥＴスイッチ３１、３２、３３を押下操作することで、押下操作されたＢＥＴスイッチに応じて上述した有効ラインが有効化されることになる。また、最大ＢＥＴスイッチ３３の図中右側には、各リール２４Ｌ、２４Ｃ、２４Ｒの回転を開始させるためのスタートスイッチ３６が設けられている。
【００２２】
図中操作部３０の右側、コイン投入口２６の手前側には、払い出しスイッチ３４が設けられており、このスイッチを押下操作することにより、投入されているコイン、あるいは遊技中に獲得したコインが扉１６の台座部３５の下方に形成されたコイン払い出し口４０から払い出され、払い出されたコインは、コイントレイ４１に溜められるように構成されている。
【００２３】
また、本体１２の鉛直方向上面には報知ランプ４３が配設されている。報知ランプ４３は、スロットマシン１０の異常を検出したとき、遊技者が係員を呼び出すときなどに点灯あるいは点滅し、係員に対してその旨を報知するものである。報知ランプ４３は、複数のＬＥＤ、複数のランプ、複数の蛍光灯などから構成してもよく、遊技者に視覚的に遊技状態を把握させることができれば何でもよい。
【００２４】
図２は、扉１６を開放した状態のスロットマシン１０の概略を示す図である。筐体１４は、上述の通り略直方体で１の面に開口が形成されており、内部には各種の部品が取り付けられている。
【００２５】
筐体１４の内壁には、支持ボード４２が水平に取り付けられている。支持ボード４２の上方には、上述の３つのリール２４Ｌ，２４Ｃ，２４Ｒが配設されている。支持ボード４２の下方には、主制御回路６０が外部との不測の物理的な接触を規制するようにケーシングに収納された状態で備えられており、主制御回路６０は、スロットマシン１０を制御するため、スロットマシン１０に関する情報処理を実行するものである。
【００２６】
主制御回路６０の図中右側方には、遊技媒体収容部としての紙幣取扱装置５４が備えられている。紙幣取扱装置５４は紙幣挿入口２８を通じて本体１２の外部から紙幣が挿入されたことを検知、搬送し、さらに搬送された紙幣を収容するように構成されている。紙幣取扱装置５４は、紙幣を紙幣取扱装置５４に取り入れるための紙幣取入口５４ｂを備えており、扉１６が閉鎖されている状態で、紙幣挿入口２８と紙幣取入口５４ｂとが接する位置に支持機構５６によって支持されている。支持機構５６は、筐体１４及び支持ボード４２により支持される。
【００２７】
さらに、図中主制御回路６０の下方には、遊技媒体収容部としてのホッパ−５８が備えられている。ホッパ−５８には、コイン投入口２６（図１参照）を介して本体１２内に投入されたコイン、払い出しのためのコイン等が収容されるように構成されている。所定の払い出し条件を満たした場合に、コインをコイン払い出し口４０（図１参照）を介してコイントレイ４１（図１参照）に払い出すように主制御回路６０によって制御されている。また、ホッパー５８の左側方には、主制御回路６０、紙幣取扱装置５４等に電源を供給する電源装置５９が備えられている。また、扉１６の内壁の、およそ上部には液晶表示装置２２が、およそ中央部には、コイン投入口２６（図１参照）から投入され、ホッパー５８に収容されるコインの枚数、種類等を識別するコイン識別装置５５が取り付けられている。
【００２８】
さらに、筐体１４の扉１６がヒンジで取り付けられている面に対向する面の内側には、後述する扉施錠状態検出装置１（図５参照）を構成している第１の施錠部としてのドアロッカー２及び第２の施錠部としてのキーブレード３が設置されている。扉１６の筐体１４にヒンジで取り付けられる面に対向する面の内側には、略円柱状に形成されたピン９ａ、ピン９ｂが、該対向する面に対して垂直に固定的に取り付けられており、ドアロッカー２に形成されている略Ｌ字型の突部とピン９ａ、９ｂとが係合し筐体１４と扉１６とを係止することで施錠するように構成されている。詳細については図５、図６で説明する。
【００２９】
図３の本発明の実施の形態に係るスロットマシン１０の主制御回路６０の構成を示すブロック図を参照して主制御回路６０について説明する。なお、構成要素の符号については適宜図１又は図２を参照する。上述した１−ＢＥＴスイッチ３１、２−ＢＥＴスイッチ３２、最大ＢＥＴスイッチ３３及びスタートスイッチ３６は、主制御回路６０のインターフェイス回路群６２に接続され、インターフェイス回路群６２は、入出力バス６４に接続されている。各スイッチを押下操作することによりそれぞれ所定の信号を発生し、入出力バス６４に送信される。入出力バス６４は、ＣＰＵ６６にデータ信号又はアドレス信号が入出力されるようになされている。なお、ここでは、ＣＰＵ６６は外部との信号の送受信をバス経由で行なっているが、ポート経由で行なってもよい。さらに、１−ＢＥＴスイッチ３１、２−ＢＥＴスイッチ３２及び最大ＢＥＴスイッチ３３に限らず、３−ＢＥＴスイッチ等、他の種類のＢＥＴスイッチであってもよい。
【００３０】
インターフェイス回路群６２には、コイン等検知センサ４４も接続されており、上述したコイン投入口２６にコインが、又は紙幣挿入口２８に紙幣が投入された場合に、投入されたコイン又は紙幣の種類及び枚数に関する情報を信号化して、当該信号をインターフェイス回路群６２に送信する。
【００３１】
また、インターフェイス回路群６２には、払い出しスイッチ３４も接続されており、遊技者が払い出しスイッチ３４を押下操作した場合には、所定の信号が入出力バス６４に送信され、当該信号に基づき、ホッパー５８に収容されているコインがコイン払い出し口４０から払い出されるように構成されている。
【００３２】
入出力バス６４には、ＲＯＭ６８及びＲＡＭ７０も接続されている。ＲＯＭ６８にはスロットマシン１０のシステム全体の流れを制御する制御プログラムが記憶されている。さらに、ＲＯＭ６８には、制御プログラムを実行するための初期データや、液晶表示装置２２等における表示制御をするプログラムの一部等が記憶されている。また、ＲＡＭ７０には、上述したプログラムや、遊技プログラムで使用するフラグや変数の値が記憶されている。さらに、入出力バス６４には、ハードディスクドライブ７４も接続されている。
【００３３】
入出力バス６４には、インターフェイス回路群７２も接続されている。インターフェイス回路群７２には、スピーカ８０、報知ランプ４３、及び払い出し装置８２が接続されており、インターフェイス回路群７２は、ＣＰＵ６６における演算処理の結果に応じて上述した装置の各々を制御すべく駆動信号や駆動電力を送信するように構成されている。
【００３４】
さらにまた、入出力バス６４には、乱数を発生させるための乱数発生部７８が接続されている。例えば、ＢＥＴスイッチ３１、３２，３３のいずれかが操作された後、スタートスイッチ３６が操作された場合、乱数を発生させるための命令がＣＰＵ６６から乱数発生部７８へ送信され、これにより乱数発生部７８は所定の範囲の乱数を発生させ、その乱数の値を示す信号を入出力バス６４に発するのである。ＣＰＵ６６は同時に、各リール２４Ｌ、２４Ｃ、２４Ｒの回転駆動制御を開始させる信号を送り（図示せず）、発生された乱数により遊技の進行状況を決定する。そして、乱数発生部７８から発せられた乱数は、抽選結果を示すデータとしてＲＡＭ７０に記録される。ＣＰＵ６６は、ＲＡＭ７０に記録されたデータに基づいて、各リール２４Ｌ、２４Ｃ、２４Ｒを停止制御し、所定の図柄が有効化された有効ラインに停止した場合には、上述のようにホッパー５８が収容されているコインをコイン払い出し口４０から払い出すように構成されている。なお、この乱数発生部７８が発生する乱数は抽選結果を決定するために用いられれば何でもよく、また、乱数発生部７８はＣＰＵ６６、ＲＯＭ６８に格納されたプログラム、ＲＡＭ７０などによりソフト的に実現してもよい。
【００３５】
インターフェイス回路群７２には、表示制御回路２００も接続されており、表示制御回路２００は、主制御回路６０から発せられる画像表示命令に基づいて表示制御回路２００に接続されている液晶表示装置２２を駆動するための駆動信号を送信する。
【００３６】
図４の本発明の実施の形態に係るスロットマシン１０の表示制御回路２００の構成を示すブロック図を参照して表示制御回路２００について説明する。なお、構成要素の符号については適宜図１又は図２を参照する。インターフェイス回路２０２は、入出力バス２０４に接続されており、上述した主制御回路６０から発せられた画像表示命令は、インターフェイス回路２０２を介して入出力バス２０４に送信される。入出力バス２０４は、ＣＰＵ２０６にデータ信号又はアドレス信号が入出力されるように構成されている。本実施の形態では、ＣＰＵ２０６は外部との信号の送受信をバス経由で行なっているが、ポート経由で行なってもよい。
【００３７】
入出力バス２０４には、ＲＯＭ２０８及びＲＡＭ２１０も接続されている。ＲＯＭ２０８には、主制御回路６０から発せられた画像表示命令に基づいて液晶表示装置２２に送信する駆動信号を生成するための表示制御プログラムが記憶されている。一方、ＲＡＭ２１０には、当該プログラムで使用するフラグや変数の値が記憶されている。
【００３８】
さらに、入出力バス２０４には、画像データプロセッサ（以下、ＶＤＰと称する）２１２も接続されている。このＶＤＰ２１２は、いわゆるスプライト回路、スクリーン回路、及びパレット回路等の回路を含み、液晶表示装置２２に画像を表示させるための種々の処理を行なうことができる処理装置である。
【００３９】
ＶＤＰ２１２には、主制御回路６０から送信する画像表示命令に応じた画像データを記憶するためのビデオＲＡＭ２１４と、背景の画像データや、図柄の画像データや、キャラクタの画像データ等の画像データを記憶する画像データ用ＲＯＭ２１６と、が接続されている。更に、ＶＤＰ２１２には、液晶表示装置２２を駆動するための駆動信号を送信する駆動回路２１８も接続されている。
【００４０】
上述したＣＰＵ２０６は、ＲＯＭ２０８に記憶されている表示制御プログラムを読み出して実行することにより、主制御回路６０から送信される画像表示命令に応じて液晶表示装置２２に表示する画像データをビデオＲＡＭ２１４に記憶させる。主制御回路６０から送信される画像表示命令には、背景表示命令や、図柄表示命令、キャラクタ表示命令等の表示命令が含まれる。
【００４１】
また、画像データ用ＲＯＭ２１６には、演出画面として表示される動体物等のキャラクタのキャラクタ画像データ、液晶表示装置２２等の背景を構成する背景画像データ等の画像データが記憶されている。キャラクタ画像データは、例えば、遊技に伴って液晶表示装置２２にキャラクタが一連の動作をする態様を表示するのに必要となる画像データを含むものである。
【００４２】
次に、図５の本発明の実施の形態に係る扉施錠状態検出装置１の分解斜視図を参照する。なお、本図では説明を容易にするため扉１６は破線で示してある。前述のように、扉施錠状態検出装置１は、第１の施錠部としてのドアロッカー２及び第２の施錠部としてのキーブレード３を備えている。筐体１４の扉１６が取り付けられている面に対向する面の内側に、板金等により略長方形形状に形成されたドアロッカー２が配設されている。ドアロッカー２の鉛直方向に対して上端近傍及び下端近傍には、それぞれ略楕円形状の図中縦方向に長い長穴２ｂ、長穴２ｃが形成されている。さらにドアロッカー２の筐体１４の内壁側の面には、略円筒状に形成されたつまみ４が、ドアロッカー２の面に対して垂直に、すなわちおよそ水平方向に固定的に取り付けられている。
【００４３】
また、筐体１４の内壁には、略円柱状で筐体１４の内壁に対して垂直に突起１４ａが取り付けられており、さらに、突起１４ａの鉛直方向下方には同様に突起１４ｂが取り付けられている。突起１４ａと突起１４ｂとの間の中央付近には略楕円形状の図中縦方向に長い長穴４ａが形成されている。
【００４４】
ドアロッカー２は、長穴２ｂに突起１４ａを、長穴２ｃに突起１４ｂを、長穴４ａにつまみ４をそれぞれ嵌挿することで、筐体１４の内壁に引っ掛かるように取り付けられ、さらに、突起１４ａ及び突起１４ｂの先端には、ワッシャを挟んで、ドアロッカー２が移動可能で、かつ突起１４ａ、１４ｂから脱落しないようにナットが取り付けられている。また、つまみ４は、長穴４ａから筐体１４の外部に露出した状態となる（図１参照）。
【００４５】
すなわち、ドアロッカー２は、係員等がつまみ４を摘んで鉛直方向に移動させることで、突起１４ａが長穴２ｂの下側の縁部と、突起１４ｂが長穴２ｃの下側の縁部と、または、つまみ４が長穴４ａの上側の縁部と当接するまで、鉛直方向に移動可能な構成となっている。
【００４６】
ドアロッカー２には、扉１６側の縁部に略Ｌ型の突部８ａが略Ｌ型のくぼみが下方を向くように形成されており、さらに突部８ａの鉛直方向下方には同様に突部８ｂが形成されている。また、略長方形状に形成された板金９ｃ、板金９ｄが、扉１６の開口に対向する面（図２参照）の内側に、該開口に対向する面に対して垂直に鉛直方向に立てて、後述するキーブレード３よりも筐体１４の内部側に位置するように固定されている。さらに、扉１６には、前述のように扉１６が筐体１４に取り付けられる面に対向する面の内側（図２参照）に、略円柱状に形成されたピン９ａが、それぞれ該対向する面に対して垂直に、該対向する面と板金９ｃとによって挟み込むように固定的に取り付けられている。同様に、ピン９ａの鉛直方向下方には、該対向する面と板金９ｄとによって挟み込むように、ピン９ｂが固定的に取り付けられている。
【００４７】
筐体１４及び扉１６は、ドアロッカー２に形成された突部８ａの略Ｌ型のくぼみとピン９ａとが、突部８ｂの略Ｌ型のくぼみとピン９ｂとが、それぞれ係合し筐体１４と扉１６とを係止することで施錠するように構成されている。さらに、ドアロッカー２が鉛直方向に対して上方に移動することで、筐体１４と扉１６との係止が解かれ、解錠するように構成されている。これにより扉１６の開放が可能となる。
【００４８】
さらに、ドアロッカー２の突部８ａ、８ｂの反対側の縁部には、鉛直方向ほぼ中央に略長方形状の突部８ｃが形成されている。突部８ｃの上側の縁部には、板金等により略長方形状に形成された当接部８ｄが、水平方向に固定されている。
【００４９】
ドアロッカー２の扉１６とは反対側、当接部８ｄの上方には、キーブレード３が、ドアロッカー２よりも筐体１４の内部側に位置し、一部分がドアロッカー２に重畳するように配設されている。キーブレード３は、板金等により略楕円形状に形成されている。さらに、キーブレード３は、突部として当接部３ｂが形成されており、ドアロッカー２が施錠状態であるときに、当接部３ｂとドアロッカーの当接部８ｄとが当接することで、ドアロッカー２の鉛直方向の移動を制限し、ドアロッカー２を施錠するように構成されている。
【００５０】
キーブレード３の筐体１４の内壁側の面には、キーシリンダー５ａが、キーブレード３の面に対して垂直に、すなわち、およそ水平方向に固定的に取り付けられている。キーシリンダー５ａは、筐体１４の内壁に形成されている穴５から筐体１４の外部に露出した状態となるように構成されている（図１参照）。キーブレード３は、係員等がキーシリンダー５ａに所定の鍵を挿入し、キーシリンダー５ａを図中右回り（時計回り）に回動することで、キーシリンダー５ａと一体となって、ここでは９０°程度回動することとなる。
【００５１】
また、キーブレード３は、キーブレード３が施錠状態である時に、回動軸、すなわち、キーシリンダー５ａから当接部３ｂの下側の縁部までの鉛直方向の長さが、キーシリンダー５ａからキーブレード３の扉１６側の縁部までの水平方向の長さよりも長くなるように構成されている。すなわち、キーブレード３は、キーブレード３が図中右回りに９０°程度回動すると、当接部３ｂと当接部８ｄとの当接が解かれ、ドアロッカー２の鉛直方向への移動の制限がなくなり、解錠されるように構成されている。
【００５２】
ドアロッカー２には、第１の光通過部としての孔２ａが形成されている。孔２ａは、キーブレード３が完全に解錠状態である時に、筐体１４内部側から見て、キーブレード３の背面に隠れて露出しない位置（図６（Ｂ）参照）、ここではドアロッカー２の鉛直方向に対して上端から３分の１から４分の１程度、水平方向に対してほぼ中央の位置に形成されている。さらにキーブレード３には、第２の光通過部としての孔３ａが孔２ａとほぼ等しい大きさで形成されている。孔３ａは、キーブレード３が施錠状態である時に、孔２ａと重なる位置（図６（Ａ）参照）、ここでは図中キーブレード３の全体広さの中で右下近傍に形成されている。すなわち、孔２ａと孔３ａとは、キーブレード３が施錠状態である時に重畳する、すなわち、一致する位置に形成されている。
【００５３】
また、扉施錠状態検出装置１は、光を投光する投光部としての発光素子、ここでは発光ダイオード６及び光を受光する受光部としての受光素子、ここではフォトトランジスタ７を備えている。フォトトランジスタ７は、キーブレード３が施錠状態である時に、扉１６に固定されている板金９ｃのキーブレード側の面で、孔２ａ、孔３ａと一致する位置、ここでは板金９ｃの固定されている端部の反対側の端部近傍に配設されている。さらに、筐体１４の内壁には、フォトトランジスタ７と対向するように発光ダイオード６が配設されており、キーブレード３が施錠状態である時に、孔２ａ、孔３ａを通過してフォトトランジスタ７に光を投光するように構成されている。すなわち、キーブレード３とドアロッカー２とが重畳する方向を重畳方向と呼ぶことにすると、発光ダイオード６は重畳方向に対して略平行に光を投光するように構成されていることとなる。
【００５４】
すなわち、フォトトランジスタ７、孔３ａ、孔２ａ、発光ダイオード６は、キーブレード３が施錠状態である時に筐体１４の内部側から見て、フォトトランジスタ７、孔３ａ、孔２ａ、発光ダイオード６の順に重畳方向に対して一致し、発光ダイオード６によって投光された光が、孔２ａ、孔３ａを順に通過し、フォトトランジスタ７によって受光されるように構成されている。
【００５５】
発光ダイオード６は、自然光と区別できる光、典型的にはパルス光を投光するように構成されている。なお、ここでは、発光ダイオード６によって投光される光は平行光として説明するが、平行光に近い光等でもよいことはいうまでもない。また、フォトトランジスタ７は、発光ダイオード６によって投光された光を受光できるように構成されている。ここで自然光とは、屋外の太陽光のような完全な白色光に限らず、屋内照明の蛍光灯や白熱灯の光であってもよい。蛍光灯の光は複数の波長の光が混合した光であり、白熱灯からの光は短波長の光が太陽光よりも少ない光であるが、パルス光はいずれの光からも区別が可能である。ただし、本扉施錠状態検出装置の設置場所の自然光が蛍光灯からの光のときは、電源周波数（関東では５０Ｈｚ、関西では６０Ｈｚ、インバーター蛍光灯ではさらに高周波数）よりも高い周波数のパルスを有するパルス光とするとよい。
【００５６】
図６は、扉施錠状態検出装置１の動作を説明する図であり、（Ａ）、（Ｂ）、（Ｃ）は部分的な斜視図である。（ａ）、（ｂ）、（ｃ）は孔２ａ、孔３ａを含む概略断面図であり、（ａ）は（Ａ）に示す状態での概略断面図、（ｂ）は（Ｂ）に示す状態での断面図を概念的に示した図であり、（ｃ）は（Ｃ）に示す状態での概略断面図である。
【００５７】
図６（Ａ）は、ドアロッカー２及びキーブレード３ともに施錠状態であるときの態様を示している。この場合、図６（ａ）に示すように、ドアロッカー２の孔２ａの位置とキーブレード３の孔３ａの位置とが重畳方向に対して一致するため、発光ダイオード６によって投光された光は、孔２ａ、孔３ａを順に通過して、フォトトランジスタ７によって受光される。すなわち、フォトトランジスタ７が、発光ダイオード６によって投光された光を検知し、ドアロッカー２及びキーブレード３がともに施錠状態であることが検出される。
【００５８】
図６（Ｂ）は、ドアロッカー２が施錠状態、キーブレード３が解錠状態であるときの態様を示している。この場合、図６（ｂ）に示すように、施錠状態であったキーブレード３は、解錠されるべく図中右回り（時計回り）に回動され、孔３ａもキーブレード３の回動に伴い移動する。これにより、ドアロッカー２の孔２ａの位置とキーブレード３の孔３ａの位置とが重畳せず、すなわち、一致せず、発光ダイオード６によって投光された光は、孔２ａは通過するが孔３ａは通過せず、キーブレード３により遮光され、フォトトランジスタ７は発光ダイオード６によって投光された光を受光しない。すなわち、フォトトランジスタ７が、発光ダイオード６によって投光された光を検知せず、キーブレード３が解錠状態であることが検出される。
【００５９】
図６（Ｃ）は、ドアロッカー２及びキーブレード３がともに解錠状態であるときの態様を示している。この場合、図６（ｃ）に示すように、施錠状態であったドアロッカー２は、解錠されるべく鉛直方向上方に移動され、孔２ａもドアロッカー２の移動に伴い移動する。この場合は、キーブレード３が解錠された段階で、発光ダイオード６によって投光された光は、孔２ａを通過せず、ドアロッカー２により遮光されているため、フォトトランジスタ７は発光ダイオード６によって投光された光を受光していない。さらに、ドアロッカー２が解錠状態となることで、扉１６（図１参照）は開放可能な状態となる。扉１６が開放状態となると、フォトトランジスタ７は、発光ダイオード６によって投光された光ではない自然光を受光する。すなわち、フォトトランジスタ７が、自然光を検知し、扉１６が開放状態であることが検出される。このときドアロッカー２は解錠され得る状態となっている。すなわち、ドアロッカー２の解錠の予備的行為が検出されてことになる。
【００６０】
フォトトランジスタ７による検出結果は、不図示の検出処理部に送信されるように構成されている。検出処理部は、主制御回路６０に組み込んで構成してもよいし、別体として構成してもよい。検出処理部は受信した検出結果に基づいて、報知情報を生成し報知手段に送信するように構成されている。ここでの報知手段とは施錠状態がいかなる状態にあるかを係員等に認識させるものであればなんでもよく、例えば、液晶表示装置２２（図１参照）や遊技機が設置されている部屋とは別の部屋に設けられている不図示の中央管理装置などが用いられる。この場合、施錠状態を画像表示して係員等に報知することができるので、係員等は施錠状態を画像情報として容易に認識することができる。
【００６１】
また、フォトトランジスタ７による検出結果は、不図示の検出処理部を介さずに係員等に報知するように構成することもできる。この場合、例えば、報知ランプ４３（図１参照）に検出結果を直接送信し、フォトトランジスタ７が発光ダイオード６によって投光された光を受光している状態、すなわち、ドアロッカー２及びキーブレード３がともに施錠状態であれば報知ランプ４３を消灯、フォトトランジスタ７が発光ダイオード６によって投光された光を受光していない状態、すなわち、ドアロッカー２またはキーブレード３のどちらか一方あるいは両方がともに解錠状態であれば報知ランプ４３を点滅、フォトトランジスタ７が自然光を受光している状態、すなわち、扉１６が開放されている状態であれば報知ランプ４３を連続点灯することで、遊技機の構成をより単純な構成とすることができる。
【００６２】
以上で説明した扉施錠状態検出装置１によれば、フォトトランジスタ７が、発光ダイオード６によって投光された光を受光するか否かによって、孔２ａと孔３ａとの相対的位置関係を検知し、施錠状態、ここでは、ドアロッカー２を施錠しているキーブレード３が解錠されているのか、施錠されているのかを検出することができるので、扉１６を開放すべく、筐体１４と扉１６とを施錠しているドアロッカー２の解錠の前段階としての予備的行為、すなわち、キーブレード３の解錠を検出でき、また、施錠したつもりでも完全に施錠されていなかった状態、いわゆる半ロック状態を予防することができる。
【００６３】
さらに、フォトトランジスタ７が自然光を受光するか否かによって、扉１６の開閉状態も検出することもできる。
【００６４】
また、以上で説明した遊技機１０によれば、扉施錠状態検出装置１を備えるので、遊技機１０に遊技者にとって価値の高い有価の遊技媒体、特に、コインや紙幣などの貨幣を収容する場合でも、防犯性、安全性が高まる。
【００６５】
なお、本発明に係る遊技機は、上述した実施形態に限定されるものではなく、パチンコ遊技機、パチスロ遊技機、ビデオスロット遊技機等の他の遊技機にも適用することができる。この場合は、有価の遊技媒体としてコイン、紙幣、の他にメダル、遊技球又はトークンなどの他、遊技者に付与された、もしくは付与される遊技価値の情報を記憶したカード等を用いて遊技することができる。
【００６６】
また例えば、ドアロッカー２とキーブレード３との位置関係が逆、すなわち、ドアロッカー２がフォトトランジスタ７側に、キーブレード３が発光ダイオード６側になるように構成してもよい。さらに、以上の説明では、フォトトランジスタ７を扉１６に、発光ダイオード６を筐体１４に配設することとしたが、発光ダイオード６を扉１６に、フォトトランジスタ７を筐体１４に配設するように構成してもよい。
【００６７】
以上の説明では孔２ａと孔３ａとが、ドアロッカー２及びキーブレード３が施錠状態にある時に一致するように形成したが、孔２ａと孔３ａとが、ドアロッカー２及びキーブレード３が解錠状態にある時に一致するように形成してもよい。
【００６８】
以上の説明では第１の光通過部、第２の光通過部は、孔として説明したが、当該部分で投光部によって投光された光が遮光されなければよく、例えば、ドアロッカー２又はキーブレード３の所定の部分を切除することで形成する切り欠きであってもよい。また、例えば、キーブレード３を単純な長円形とし、解錠状態でキーブレード３が発光ダイオード６の光を遮断するようにしてもよい。このときは、キーブレード３を外れた部分が光通過部に相当する。
【００６９】
また、本発明の実施の形態に係る扉施錠状態検出装置は、第１の施錠部の所定の位置に形成された第１の光通過部と、第２の施錠部の所定の位置に形成された第２の光通過部とが、第１の施錠部が施錠状態にある時に一致するように形成することもできる。
【００７０】
すなわち、例えば、キーブレード３に形成される孔３ａをドアロッカー２に形成される孔２ａよりも、大きい孔として形成し、キーブレード３が施錠状態にある場合でも、解錠状態にある場合でも、発光ダイオード６によって投光された光は孔２ａ、孔３ａを通過しフォトトランジスタ７によって受光されるように構成する。ドアロッカー２が解錠されると孔２ａは移動し、発光ダイオード６によって投光された光は孔２ａは通過しない状態、すなわちドアロッカー２によって遮光される状態となる。このように構成すると、ドアロッカー２が施錠状態であるか解錠状態であるかを検出することができる。すなわち、扉１６が開放し得る状態、言い換えれば扉１６開放の予備的行為を検出することができる。
【００７１】
【発明の効果】
以上のように本発明によれば、扉開放のための予備的行為を検出する安全性の高い扉施錠状態検出装置を提供することができる。
【図面の簡単な説明】
【図１】本発明の実施の形態に係るスロットマシンの外観斜視図である。
【図２】本発明の実施の形態に係るスロットマシンの扉を開放した状態の概略を示す図である。
【図３】本発明の実施の形態に係るスロットマシンの主制御回路の構成を示すブロック図である。
【図４】本発明の実施の形態に係るスロットマシンの表示制御回路の構成を示すブロック図である。
【図５】本発明の実施の形態に係る扉施錠状態検出装置の分解斜視図である。
【図６】本発明の実施の形態に係る扉施錠状態検出装置の動作を説明する図であり、（Ａ）、（Ｂ）、（Ｃ）は部分的な斜視図であり、（ａ）、（ｂ）、（ｃ）は孔を含む概略断面図であり、（ａ）は（Ａ）に示す状態での概略断面図、（ｂ）は（Ｂ）に示す状態での断面図を概念的に示した図であり、（ｃ）は（Ｃ）に示す状態での概略断面図である。
【符号の説明】
１      扉施錠状態検出装置
２      ドアロッカー
２ａ、３ａ  孔
３      キーブレード
６      発光ダイオード
７      フォトトランジスタ
１０    スロットマシン
１２    本体
１４    筐体
１６    扉
２２    液晶表示装置
４３    報知ランプ
５４    紙幣取扱装置
５８    ホッパー
６０    主制御回路
【図１】
2005021296.tif 000003
【図２】
2005021296.tif 000004
【図３】
2005021296.tif 000005
【図４】
2005021296.tif 000006
【図５】
2005021296.tif 000007
【図６】
2005021296.tif 000008